(57)【要約】      （修正有）【課題】適切な店内広報の選択を支援することのできる技術を提供する。【解決手段】サーバー装置１０であって、小売店の店内で行われる広報に対し、顧客の属性毎に、広報の対象である領域における顧客の集客率を関連付けた広報別集客情報を記憶する記憶部１２０と、店内の顧客について属性を取得する顧客情報取得部１１１と、顧客情報取得部１１１により特定された属性毎に顧客数を特定し、顧客数に応じて、広報情報を表示する属性を特定する属性特定部１１２と、属性特定部１１２により特定された属性を用いて広報別集客情報を参照し、属性と関連付けられた所定数の広報を集客率の順に示す広報情報表示画面生成する表示情報生成部１１３と、を備える。【選択図】図１
2015197871.tif 000002
【特許請求の範囲】
【請求項１】
小売店の店内で行われる広報に対し、顧客の属性毎に、前記広報の対象である領域における前記顧客の集客率を関連付けた広報別集客情報を記憶する記憶部と、
店内の前記顧客について前記属性を取得する顧客情報取得部と、
前記顧客情報取得部により特定された前記属性毎に顧客数を特定し、該顧客数に応じて、前記属性を特定する属性特定部と、
前記属性特定部により特定された前記属性と前記広報別集客情報において関連付けられた所定数の前記広報を前記集客率に応じた順に表示する前記広報情報表示画面を示す表示情報を生成する表示情報生成部と、
を備えることを特徴とするサーバー装置。
【請求項２】
請求項１に記載のサーバー装置であって、
前記顧客情報取得部は、店内の前記顧客毎に該顧客の位置を取得し、
前記記憶部には、前記店内の地図情報が記憶され、
前記表示部は、前記顧客情報取得部により取得された前記位置を前記地図情報上に表示させる回遊情報表示画面を示す表示情報を生成し、
前記回遊情報表示画面は、前記位置を該位置に係る前記顧客の属性毎に異なる表示形態で表示することを特徴とするサーバー装置。
【請求項３】
請求項１又は２に記載のサーバー装置であって、
前記記憶部には、商品を購入した顧客の前記属性と、商品の種別である商品群と、の組み合わせ毎に所定期間の売上高を関連付けた属性別売上情報が記憶され、
前記表示情報生成部は、前記広報情報表示画面に表示する前記広報の対象である前記商品群と、前記属性特定部により特定される前記属性と、を用いて前記属性別売上情報を参照し、関連する前記売上高を前記広報毎に表示する前記広報情報表示画面の前記表示情報を生成することを特徴とするサーバー装置。
【請求項４】
請求項１から３のいずれか一項に記載のサーバー装置であって、
広報の集客予定地点の入力を受け付ける入力部と、
前記集客予定地点から所定の範囲内にある前記領域に存在する前記顧客数に基づいて前記属性毎の前記集客率を取得する集客率取得部と、
前記集客率取得部により取得した前記集客率を用いて前記広報別集客情報を生成する広報情報生成部と、
を備えることを特徴とするサーバー装置。
【請求項５】
請求項４に記載のサーバー装置であって、
前記入力部は、広報の開始時刻の入力を受け付け、
前記集客率取得部は、前記入力部が入力を受け付けた前記開始時刻から所定時間内である計測基準時間に店内にいる前記顧客数と、前記計測基準時間以外の時間において店内にいる前記顧客数と、を用いて、前記集客率を前記属性毎に取得することを特徴とするサーバー装置。
【請求項６】
請求項４又は５に記載のサーバー装置であって、
前記入力部は、広報の内容を示す文字列である広報内容の入力を受け付け、
前記広報情報生成部は、前記広報に対して前記入力部が入力を受け付けた前記広報内容を関連付けた前記広報別集客情報を生成し、
前記表示情報生成部は、前記広報情報表示画面において選択された前記広報に係る前記広報内容を表示することを特徴とするサーバー装置。
【請求項７】
サーバー装置を用いた広報情報提供方法であって、
店内の顧客について該顧客の属性を取得する顧客情報取得手順と、
前記顧客情報取得手順において特定された前記属性毎に顧客数を特定し、該顧客数に応じて、小売店の店内で行われる広報に関する情報を表示する広報情報表示画面に表示する前記広報の特定に用いる前記属性を特定する属性特定手順と、
広報に対し、顧客の前記属性毎に、前記広報の対象である領域における前記顧客の集客率を関連付けた広報別集客情報を、前記属性特定手順において特定された前記属性を用いて参照し、該属性と関連付けられた所定数の前記広報を前記集客率の順に表示する前記広報情報表示画面を示す表示情報を生成する表示情報生成手順と、を実行することを特徴とする広報情報提供方法。
【請求項８】
コンピューターをサーバー装置として機能させるプログラムであって、
店内の顧客について該顧客の属性を取得する顧客情報取得手順と、
前記顧客情報取得手順において特定された前記属性毎に顧客数を特定し、該顧客数に応じて、小売店の店内で行われる広報に関する情報を表示する広報情報表示画面に表示する前記広報の特定に用いる前記属性を特定する属性特定手順と、
広報に対し、顧客の前記属性毎に、前記広報の対象である領域における前記顧客の集客率を関連付けた広報別集客情報を、前記属性特定手順において特定された前記属性を用いて参照し、該属性と関連付けられた所定数の前記広報を前記集客率の順に表示する前記広報情報表示画面を示す表示情報を生成する表示情報生成手順と、
を前記コンピューターに実行させることを特徴とするプログラム。
【請求項９】
小売店の顧客に関する情報を取得する読取装置と、サーバー装置と、表示装置とを有する広報情報提供システムであって、
前記読取装置は、
前記顧客を識別する顧客識別子を取得する読取部を備え、
前記サーバー装置は、
前記顧客識別子と該顧客が属する属性とを関連付けた顧客情報と、店内で行われる広報に対し、前記属性毎に、前記広報の対象である領域における前記顧客の集客率を関連付けた広報別集客情報を記憶する記憶部と、
前記読取装置から取得した該顧客識別子を用いて前記顧客情報を参照し、該顧客が属する前記属性を取得する顧客情報取得部と、
前記顧客情報取得部により取得された前記属性毎に顧客数を特定し、該顧客数に応じて、広報情報表示画面に表示する前記広報の特定に用いる前記属性を特定する属性特定部と、
前記属性特定部により特定された前記属性を用いて前記広報別集客情報を参照し、該属性と関連付けられた所定数の前記広報を前記集客率の順に表示する広報情報表示画面を示す表示情報を生成する表示情報生成部と、を備え、
前記表示装置は、
前記サーバー装置から取得した前記表示情報を表示する表示部を備えることを特徴とする広報情報提供システム。
【請求項１０】
小売店の顧客に関する情報を取得する読取装置と、サーバー装置と、表示装置と、を備える広報情報提供システムにおける広報情報提供方法であって、
前記読取装置は、
前記顧客を識別する顧客識別子を取得する読取手順を実行し、
前記サーバー装置は、
前記読取装置から取得した該顧客識別子を用いて、前記顧客識別子と該顧客が属する属性とを関連付けた顧客情報を参照し、該顧客が属する前記属性を取得する顧客情報取得手順と、
前記顧客情報取得部により特定された前記属性毎に顧客数を特定し、該顧客数に応じて、広報情報を表示する前記属性を特定する属性特定手順と、
前記属性特定手順において特定された前記属性を用いて、店内で行われる広報に対し、前記属性毎に、前記広報の対象である領域における前記顧客の集客率を関連付けた広報別集客情報を参照し、該属性と関連付けられた所定数の前記広報を前記集客率の順に表示する広報情報表示画面を示す表示情報を生成する表示情報生成手順と、を実行し、
前記表示装置は、
前記サーバー装置から取得した前記表示情報を表示する表示手順を実行することを特徴とする広報情報提供方法。
【発明の詳細な説明】
【技術分野】
【０００１】
本発明は、サーバー装置、広報情報提供方法、プログラム、及び広報情報提供システムに関する。
【背景技術】
【０００２】
小売企業において、店舗内における顧客の行動パターンを取得する技術が検討されている。
【０００３】
特許文献１には、「小売店舗内において、無線タグ付きのICカードと、当該カードの携帯者の異動ポイントを認識することができる非接触式無線通信装置を備えた手段と、当該カードでの商品買上情報を得るための読み取り装置付きの売上登録手段と、これから得られたデータから、来店客の移動と購買情報を取得する」購買行動情報取得方式に関する技術が開示されている。
【先行技術文献】
【特許文献】
【０００４】
【特許文献１】特開２００９−１１６８３３号公報
【発明の概要】
【発明が解決しようとする課題】
【０００５】
小売店舗では、店内放送や店員の呼び込み等の店内広報で、所定の商品の購入を促すことが日常的に行われている。しかしながら、店内広報の効果を取得する技術はなく、店員の感覚に頼った店内広報の選択が行われているため、顧客に対して効果的な店内広報が行われているとは考えにくい。
【０００６】
本発明は、上記の点に鑑みてなされたものであって、適切な店内広報の選択を支援することのできる技術の提供を目的とする。
【課題を解決するための手段】
【０００７】
そこで上記課題を解決するため、本発明のサーバー装置は、小売店の店内で行われる広報に対し、顧客の属性毎に、前記広報の対象である領域における前記顧客の集客率を関連付けた広報別集客情報を記憶する記憶部と、店内の前記顧客について前記属性を取得する顧客情報取得部と、前記顧客情報取得部により特定された前記属性毎に顧客数を特定し、該顧客数に応じて、前記属性を特定する属性特定部と、前記属性特定部により特定された前記属性と前記広報別集客情報において関連付けられた所定数の前記広報を前記集客率に応じた順に表示する前記広報情報表示画面を示す表示情報を生成する表示情報生成部と、を備えることを特徴とする。
【０００８】
また、上記課題を解決するため、本発明の前記顧客情報取得部は、店内の前記顧客毎に該顧客の位置を取得し、前記記憶部には、前記店内の地図情報が記憶され、前記表示部は、前記顧客情報取得部により取得された前記位置を前記地図情報上に表示させる回遊情報表示画面を示す表示情報を生成し、前記回遊情報表示画面は、前記位置を該位置に係る前記顧客の属性毎に異なる表示携帯で表示することを特徴としてもよい。
【０００９】
また、上記課題を解決するため、本発明の前記記憶部には、商品を購入した顧客の前記属性と、商品の種別である商品群と、の組み合わせ毎に所定期間の売上高を関連付けた属性別売上情報が記憶され、前記表示情報生成部は、前記広報情報表示画面に表示する前記広報の対象である前記商品群と、前記属性特定部により特定される前記属性と、を用いて前記属性別売上情報を参照し、関連する前記売上高を前記広報毎に表示する前記広報情報表示画面の前記表示情報を生成することを特徴としてもよい。
【００１０】
また、上記課題を解決するため、本発明のサーバー装置は、広報の集客予定地点の入力を受け付ける入力部と、前記集客予定地点から所定の範囲内にある前記領域に存在する前記顧客数に基づいて前記属性毎の前記集客率を取得する集客率取得部と、前記集客率取得部により取得した前記集客率を用いて前記広報別集客情報を生成する広報情報生成部と、を備えることを特徴としてもよい。
【００１１】
また、上記課題を解決するため、本発明の前記入力部は、広報の開始時刻の入力を受け付け、前記集客率取得部は、前記入力部が入力を受け付けた前記開始時刻から所定時間内である計測基準時間に店内にいる前記顧客数と、前記計測基準時間以外の時間において店内にいる前記顧客数と、を用いて、前記集客率を前記属性毎に取得することを特徴としてもよい。
【００１２】
また、上記課題を解決するため、本発明の前記入力部は、広報の内容を示す文字列である広報内容の入力を受け付け、前記広報情報生成部は、前記広報に対して前記入力部が入力を受け付けた前記広報内容を関連付けた前記広報別集客情報を生成し、前記表示情報生成部は、前記広報情報表示画面において選択された前記広報に係る前記広報内容を表示することを特徴としてもよい。
【００１３】
また、上記課題を解決するため、本発明の広報情報提供方法は、サーバー装置を用いた広報情報提供方法であって、店内の顧客について該顧客の属性を取得する顧客情報取得手順と、前記顧客情報取得手順において特定された前記属性毎に顧客数を特定し、該顧客数に応じて、小売店の店内で行われる広報に関する情報を表示する広報情報表示画面に表示する前記広報の特定に用いる前記属性を特定する属性特定手順と、広報に対し、顧客の前記属性毎に、前記広報の対象である領域における前記顧客の集客率を関連付けた広報別集客情報を、前記属性特定手順において特定された前記属性を用いて参照し、該属性と関連付けられた所定数の前記広報を前記集客率の順に表示する前記広報情報表示画面を示す表示情報を生成する表示情報生成手順と、を実行することを特徴とする。
【００１４】
また、上記課題を解決するため、本発明のプログラムは、コンピューターをサーバー装置として機能させるプログラムであって、店内の顧客について該顧客の属性を取得する顧客情報取得手順と、前記顧客情報取得手順において特定された前記属性毎に顧客数を特定し、該顧客数に応じて、小売店の店内で行われる広報に関する情報を表示する広報情報表示画面に表示する前記広報の特定に用いる前記属性を特定する属性特定手順と、広報に対し、顧客の前記属性毎に、前記広報の対象である領域における前記顧客の集客率を関連付けた広報別集客情報を、前記属性特定手順において特定された前記属性を用いて参照し、該属性と関連付けられた所定数の前記広報を前記集客率の順に表示する前記広報情報表示画面を示す表示情報を生成する表示情報生成手順と、を前記コンピューターに実行させることを特徴とする。
【００１５】
また、上記課題を解決するため、本発明の広報情報提供システムは、小売店の顧客に関する情報を取得する読取装置と、サーバー装置と、表示装置とを有する広報情報提供システムであって、前記読取装置は、前記顧客を識別する顧客識別子を取得する読取部を備え、前記サーバー装置は、前記顧客識別子と該顧客が属する属性とを関連付けた顧客情報と、店内で行われる広報に対し、前記属性毎に、前記広報の対象である領域における前記顧客の集客率を関連付けた広報別集客情報を記憶する記憶部と、前記読取装置から取得した該顧客識別子を用いて前記顧客情報を参照し、該顧客が属する前記属性を取得する顧客情報取得部と、前記顧客情報取得部により取得された前記属性毎に顧客数を特定し、該顧客数に応じて、広報情報表示画面に表示する前記広報の特定に用いる前記属性を特定する属性特定部と、前記属性特定部により特定された前記属性を用いて前記広報別集客情報を参照し、該属性と関連付けられた所定数の前記広報を前記集客率の順に表示する広報情報表示画面を示す表示情報を生成する表示情報生成部と、を備え、前記表示装置は、前記サーバー装置から取得した前記表示情報を表示する表示部を備えることを特徴とする。
【００１６】
また、上記課題を解決するため、本発明の広報情報提供方法は、小売店の顧客に関する情報を取得する読取装置と、サーバー装置と、表示装置と、を備える広報情報提供システムにおける広報情報提供方法であって、前記読取装置は、前記顧客を識別する顧客識別子を取得する読取手順を実行し、前記サーバー装置は、前記読取装置から取得した該顧客識別子を用いて、前記顧客識別子と該顧客が属する属性とを関連付けた顧客情報を参照し、該顧客が属する前記属性を取得する顧客情報取得手順と、前記顧客情報取得部により特定された前記属性毎に顧客数を特定し、該顧客数に応じて、広報情報を表示する前記属性を特定する属性特定手順と、前記属性特定手順において特定された前記属性を用いて、店内で行われる広報に対し、前記属性毎に、前記広報の対象である領域における前記顧客の集客率を関連付けた広報別集客情報を参照し、該属性と関連付けられた所定数の前記広報を前記集客率の順に表示する広報情報表示画面を示す表示情報を生成する表示情報生成手順と、を実行し、前記表示装置は、前記サーバー装置から取得した前記表示情報を表示する表示手順を実行することを特徴とする。
【発明の効果】
【００１７】
本発明によれば、適切な店内広報の選択を支援することのできる技術を提供することができる。
【図面の簡単な説明】
【００１８】
【図１】広報情報提供システムの機能ブロック図である。
【図２】売上情報の一例を示す図である。
【図３】顧客情報の一例を示す図である。
【図４】消費者属性情報の一例を示す図である。
【図５】消費者属性別売上情報の一例を示す図である。
【図６】回遊情報の一例を示す図である。
【図７】店内広報別集客情報の一例を示す図である。
【図８】サーバー装置のハードウェア構成例を示す図である。
【図９】消費者属性別売上生成処理の流れを示すフローチャートである。
【図１０】回遊情報生成処理の流れを示すフローチャートである。
【図１１】店内広報別集客情報生成処理の流れを示すフローチャート（その１）である。
【図１２】店内広報別集客情報生成処理の流れを示すフローチャート（その２）である。
【図１３】回遊情報表示処理の流れを示すフローチャートである。
【図１４】広報情報表示処理の流れを示すフローチャートである。
【図１５】広報別集客情報入力画面の一例を示す図である。
【図１６】店内画像表示画面の一例を示す図である。
【図１７】広報情報表示画面の一例を示す図である。
【発明を実施するための形態】
【００１９】
以下、図面に基づいて本発明の実施の形態を説明する。図１は、広報情報提供システム１の機能ブロック図である。
【００２０】
本発明に係る宅配情報提供システム１では、サーバー装置１０と、店員端末装置２０とがネットワーク３０を介して接続されている。店員端末装置２０は、１つのサーバー装置１０に対して複数接続されていてもよい。また、サーバー装置１０は、店員端末装置２０の構成を含むものであってもよい。
【００２１】
サーバー装置１０は、例えばＰＣ（Personal Computer）等であって、店員端末装置２０に対して広報情報の提供を行う。また、サーバー装置１０は、広報情報の生成に用いるための各種の情報を生成し、記憶する。
【００２２】
店員端末装置２０は、例えばＰＣ（Personal Computer）やスマートフォン等の電子機器である。店員端末装置２０は、店内広報（以下、「広報」として説明する）を管理する小売店の店員が有する端末装置である。
【００２３】
本実施形態では、サーバー装置１０において、店員端末装置２０から受け付けた情報に基づいて、顧客の属性に対応する広報を表示するための各情報を生成する。店員端末装置２０から表示情報の表示要求を受け付けると、サーバー装置１０は、店内にいる最も多い属性の顧客に対して効果の高かった広報、つまり集客率の高かった広報を順に表示する表示情報を生成する。生成された表示情報に基づいて、店員端末装置２０では表示画面が表示される。
【００２４】
サーバー装置１０は、制御部１１０と、記憶部１２０とを備える。制御部１１０は、広報に関する情報である広報情報の生成に用いるための各情報の生成や、広報情報の表示に関する制御を行う。記憶部１２０は、制御部１１０による処理に用いられる情報を記憶する。
【００２５】
制御部１１０は、顧客情報取得部１１１と、属性特定部１１２と、表示情報生成部１１３と、入力部１１４と、集客率取得部１１５と、広報情報生成部１１６と、回遊情報生成部１１７と、売上情報生成部１１８とを備える。
【００２６】
顧客情報取得部１１１は、サーバー装置１０に接続された読取装置により読み取られた顧客識別子と、顧客の位置とを取得する。なお、読取装置は、店内に存在する顧客が有する会員カードを読み取ることにより、顧客識別子と顧客の位置とを取得しているが、詳しくは後述する。
【００２７】
属性特定部１１２は、店内に存在する顧客数を属性毎に集計し、顧客数が最も多い属性を特定する。
【００２８】
表示情報生成部１１３は、顧客数が最も多い属性について、過去に集客率が高かった広報内容を含む広報情報表示画面を表示するための表示情報を生成する。また、表示情報生成部１１３は、既に行われた広報に関する情報の入力を受け付ける広報別集客情報入力画面を表示するための表示情報を生成する。また、表示情報生成部１１３は、店内の地図に対して顧客の位置を表示した回遊情報表示画面を表示するための表示情報を生成する。各画面については、後に詳述する。
【００２９】
入力部１１４は、広報情報表示画面の生成に用いる店内広報別集客情報を生成するために、サーバー装置１０が備える入力装置を介して広報内容や広報の開始時刻、及び集客予定地点等を含む情報の入力を受け付ける。
【００３０】
集客率取得部１１５は、広報の開始時刻から所定の時間内である計測基準時間において、集客予定地点から所定の範囲内（例えば、集客予定視点を中心とする半径２ｍの範囲内）にある領域に存在する顧客の数と、計測基準時間以外の時間に該領域に存在する顧客の数と、を用いて、集客率を算出する。集客率取得部１１５は、広報に対する属性毎の集客率を取得する。
【００３１】
広報情報生成部１１６は、サーバー装置１０に対して入力された情報に基づいて、広報と属性との組み合わせ毎に集客率を関連付けた店内広報別集客情報を生成する。
【００３２】
回遊情報生成部１１７は、顧客毎に店内における顧客の位置を関連付けた回遊情報を生成する。回遊情報生成部１１７は、例えば一定周期（例えば５秒毎）で取得される顧客の位置に基づいて、回遊情報を生成する。
【００３３】
売上情報生成部１１８は、顧客が購入した商品の売り上げに関する情報を生成する。売上情報生成部１１８は、売上情報及び消費者属性別売上情報を生成し、記憶部１２０に記憶させる。
【００３４】
記憶部１２０は、売上情報１２１と、顧客情報１２２と、消費者属性情報１２３と、消費者属性別売上情報１２４と、回遊情報１２５と、店内広報別集客情報１２６とを有する。売上情報１２１と、顧客情報１２２と、消費者属性情報１２３とは、本実施形態による処理の開始前に予め記憶部１２０に記憶されている情報である。
【００３５】
売上情報１２１は、顧客の会計毎に、購入した商品の商品群や売上高を記憶させた情報である。
【００３６】
顧客情報１２２は、顧客が有する会員カード等に記録された顧客識別子に対して、顧客の性別や年齢、平均年収等を関連付けた情報である。
【００３７】
消費者属性情報１２３は、顧客が属する消費者属性（以下、「属性」と記載する）に関する情報である。属性とは、顧客の性別、年代、及び平均年収により特定される。なお、属性は、顧客が有する他の特性により特定されるものであってもよい。
【００３８】
消費者属性別売上情報１２４は、商品を購入した顧客の属性及び商品が属する商品群の組み合わせ毎に、所定期間内（例えば２週間）の売上高を関連付けた情報である。
【００３９】
回遊情報１２５は、店内にいる顧客の位置を含む情報である。回遊情報１２５は、一定周期でサーバー装置１０が取得する位置情報に基づいて、顧客に対して取得時刻と店内の座標とを関連付けるよう生成される。
【００４０】
店内広報別集客情報１２６は、入力装置を介して入力部１１４が受け付けた情報に基づいて、広報と、属性との組み合わせ毎に、集客予定領域に対してどれだけ集客したかを示す集客率を関連付けた情報である。
【００４１】
店員端末装置２０は、制御部２１０を備える。制御部２１０は、サーバー装置１０により生成された情報の取得及び表示に関する制御を行う。
【００４２】
制御部２１０は、通信部２１１と、表示部２１２とを備える。
【００４３】
通信部２１１は、サーバー装置１０との間で情報の送受信を行う。通信部２１１は、サーバー装置１０により生成された各表示画面の表示情報を受信する。また、通信部２１１は、各表示画面に対して入力された情報を、サーバー装置１０に対して送信する。
【００４４】
表示部２１２は、サーバー装置１０から送信された表示情報に基づいて、店員端末装置２０が備える表示装置に対して各表示画面を表示させる。
【００４５】
本実施形態では、店内にいる最も多い属性の顧客に対して効果の高かった広報を順に店員端末装置２０に表示するため、店員は現在店内にいる顧客に対して効果的な広報を選択することができる。
【００４６】
次に、記憶部１２０に記憶される情報について説明する。
【００４７】
図２は、売上情報１２１の一例を示す図である。売上情報１２１は、顧客識別子に対して、顧客が購入した商品の商品群と、購入商品名と、購入個数と、売上高と、購入日時とを関連付けた情報である。売上情報１２１は、他の情報を含むものであってもよく、また購入商品名及び購入個数は必須ではない。
【００４８】
顧客識別子は、顧客である顧客を特定するための識別情報である。商品群は、顧客が購入した商品が属する種別を特定する情報である。購入商品名は、購入した商品の名称を示す文字列である。
【００４９】
購入個数は、顧客が購入した商品の個数である。売上高は、該商品の売上高であって、商品の単価と購入個数とを乗算した値である。購入日時は、商品を購入した日時である。
【００５０】
なお、本情報は小売店が備える清算システムにおいて、例えばレジ等の決算装置に対して会員カードを提示し、清算を行うことにより生成される。
【００５１】
図３は、顧客情報１２２の一例を示す図である。顧客情報１２２は、顧客識別子に対して、氏名と、性別と、年齢と、平均年収と、職業と、消費者属性識別子とを関連付けた情報である。
【００５２】
顧客識別子は、顧客を特定する識別情報であって、売上情報１２１の顧客識別子と対応する。氏名、性別、年齢は、各々顧客の氏名、性別、年齢を示す情報である。平均年収は、顧客の平均年収である。職業は、顧客の職業である。
【００５３】
消費者属性識別子は、顧客の性別、年代、及び平均年収の組み合わせである属性を特定する識別情報である。なお、性別、年代、及び平均年収は、顧客の特性を特定するための指標に過ぎず、属性を特定するための情報はこの限りでない。例えば、性別及び平均年収に代わって、店舗の利用状況に応じた会員種別により属性が特定されてもよい。その場合、顧客情報１２２は性別及び平均年収に代わって会員種別を特定する情報を含むものとする。
【００５４】
図４は、消費者属性情報１２３の一例を示す図である。消費者属性情報１２３は、消費者属性識別子に対して、属性を特定するための性別と、年代と、平均年収とが関連付けられている。
【００５５】
消費者属性識別子は、属性を特定する識別情報であって、顧客情報１２２の消費者属性識別子と対応している。性別、年代、及び平均年収は、それぞれ顧客の性別、年代、及び平均年齢を示す情報である。例えば図４では、消費者属性識別子が「20-01-01」により特定される属性は、性別が「M」(male)、つまり男性であって、年代が「20代」、平均年収が「400万未満」である顧客が属する集合である。
【００５６】
図５は、消費者属性別売上情報１２４の一例を示す図である。消費者属性別売上情報１２４は、消費者属性識別子と商品群との組み合わせ毎に、所定期間における売上高と、販売数量とを含む情報である。
【００５７】
消費者属性識別子は、属性を特定する識別情報であって、顧客情報１２２及び消費者属性情報１２３の消費者属性識別子と対応する。商品群は、商品が属する種別を特定する情報であって、売上情報１２１の商品群と対応する。
【００５８】
売上高は、消費者属性識別子により特定される属性の顧客が購入した、商品群に属する商品の所定期間内の総売上高を特定する情報である。販売数量は、購入された商品の数量である。
【００５９】
図６は、回遊情報１２５の一例を示す図である。回遊情報１２５は、店内に存在する顧客の顧客識別子に対して、情報の取得時刻と、座標とが関連付けられた情報である。
【００６０】
顧客識別子は、顧客を特定する識別情報であって、売上情報１２１及び顧客情報１２２の顧客識別子と対応する。取得時刻は、顧客識別子及び座標を取得した時刻である。なお、取得時刻は、読取装置が顧客識別子を読み取った時刻であって、複数の顧客が店内に存在する場合、同じ取得時刻が回遊情報１２５に記憶されるものとする。座標は、店内での顧客の位置を特定する情報である。
【００６１】
回遊情報１２５は、回遊情報生成部１１７により一定周期で生成されるため、本情報により顧客の移動履歴を認識することができる。例えば、図６に示す回遊情報１２５を参照すると、顧客識別子が「1000001」である顧客は、取得時刻が「20140416 14:30:00」である時に、座標が「(100,120)」により特定される位置に存在している。また、同顧客は、取得時刻が「20140416 14:30:05」である時に、座標が「（105,112）」により特定される位置に存在することが分かる。従って、該顧客は、５秒の間に「(100,120)」から「（105,112）」に移動したと考えられる。
【００６２】
図７は、店内広報別集客情報１２６の一例を示す図である。店内広報別集客情報１２６は、広報識別子と、商品群と、開始時刻と、広報分類と、集客予定地点と、広報内容と、消費者属性識別子と、時間外客数平均値と、時間内客数平均値と、集客率と、キーワードとを含む。店内広報別集客情報１２６は、他に広報の終了時刻を含むものであってもよい。
【００６３】
広報識別子は、広報を特定する識別情報である。商品群は、広報の対象となった商品の種別である。開始時刻は、広報を開始した時刻である。
【００６４】
広報分類は、広報の種別を特定する情報である。広報の種別には、例えば「店内アナウンス」、「店員による呼び込み」、及び「試食の実施」等が含まれる。例えば、図７に示す広報分類としては、「1」が「（店内）アナウンス」、「2」が「（店員による）呼び込み」であることを示す。
【００６５】
集客予定地点は、広報により集客を予定している店内の位置を特定する座標である。広報内容は、広報の実施内容である文字列である。例えば、広報分類が「アナウンス」である場合、広報内容は、アナウンスの内容を構成する文字列である。
【００６６】
消費者属性識別子は、顧客が属する属性を特定する識別子であって、売上情報１２１及び顧客情報１２２の消費者属性識別子と対応する。時間外客数平均値は、後述する計測基準時間以外の時間帯における顧客の数を、店内に存在する顧客の数で除算した値である。例えば、時間外客数平均値は、広報開始時刻を終期とし、広報開始時刻から所定時間前の時刻を始期とする時間帯における顧客数に基づいて求められる。
【００６７】
時間内客数平均値は、広報開始時刻から所定時間内に、集客予定地点から所定距離内の範囲に存在する顧客の数を、店内に存在する顧客数で除算した値である。なお、時間内客数平均値は、時間内に上述の範囲に存在する顧客数であってもよい。
【００６８】
集客率は、時間内客数平均値を、時間外客数平均値で除算し、100を乗じた値である。キーワードは、広報内容を示す単語である。
【００６９】
図８は、サーバー装置１０のハードウェア構成例を示す図である。サーバー装置１０は、ＣＰＵ（Central Processing Unit）１３０と、メモリ１３１と、補助記憶装置１３２と、入力Ｉ／Ｆ（Interface）１３３と、出力Ｉ／Ｆ１３４と、ネットワークＩ／Ｆ１３５と、を備え、各構成要素はバスにより接続されている。
【００７０】
また、サーバー装置１０は、入力Ｉ／Ｆ１３３を介して読取装置４０と接続されている。
【００７１】
ＣＰＵ１３０は中央演算装置であり、メモリ１３１又は補助記憶装置１３２に記録されたプログラムに従って処理を実行する。サーバー装置１０では、メモリ１３１又は補助記憶装置１３２上に読み出されたプログラムに従って動作するＣＰＵ１３０により処理が行われる。制御部１１０を構成する各処理部は、ＣＰＵ１３０がプログラムを実行することにより各々の機能を実現する。
【００７２】
メモリ１３１は、ＲＡＭ（Random Access Memory）又はフラッシュメモリ等の記憶装置であり、プログラムやデータが一時的に読み出される記憶エリアとして機能する。補助記憶装置１３２は、例えばＨＤＤ（Hard Disk Drive）や、ＣＤ-Ｒ（Compact Disc- Recordable）、ＤＶＤ-ＲＡＭ（Digital Versatile Disk-Random Access Memory）等の書き込み及び読み出し可能な記憶メディア及び記憶メディア駆動装置等である。記憶部１２０は、メモリ１３１又は補助記憶装置１３２によりその機能が実現される。また、記憶部１２０は、ネットワークＩ／Ｆ１３５を介して接続される記憶装置によってその機能が実現されてもよい。
【００７３】
入力Ｉ／Ｆ１３３は、システム管理者からの入力操作を受け付けるためのインターフェイスであり、例えばタッチパネル、キーボード、マウス、マイク等からの入力を受け付ける。出力Ｉ／Ｆ１３４は、ＬＣＤ（Liquid Crystal Display）等の表示装置等に対して情報を出力するためのインターフェイスである。ネットワークＩ／Ｆ１３５は、サーバー装置１０をネットワーク３０に接続するためのインターフェイスである。
【００７４】
なお、サーバー装置１０の各構成要素の処理は、１つのハードウェアで実行されてもよいし、複数のハードウェアで実行されてもよい。また、サーバー装置１０の各構成要素の処理は、１つのプログラムで実現されてもよいし、複数のプログラムで実現されてもよい。
【００７５】
読取装置４０は、顧客が有する会員カードを読み取ることが可能な装置であって、読み取った会員カードに格納された顧客識別子と、読取装置４０自身の位置情報とをサーバー装置１０に対して定期的に送信する。読取装置４０は、例えば顧客が有する買い物カゴに設置されており、顧客はカードを読取装置４０に読み取らせてから、買い物を開始する。
【００７６】
なお、読取装置４０の構成は上述の構成に限られない。例えば、読取装置４０はＲＦＩＤ（Radio Frequency IDentification）タグを認識可能な装置であって、天井等に設置されてもよい。この場合、読取装置４０は、顧客が有する会員カードに含まれるＲＦＩＤタグを読み取り、顧客識別子を取得する。複数の読取装置４０が異なるエリアに設置されており、会員カードを読み取った読取装置４０の位置に基づいて、顧客の位置を認識する。
【００７７】
店員端末装置２０は、サーバー装置１０と同様のハードウェア構成を備えるため、店員端末装置２０のハードウェア構成については、説明を省略する。
【００７８】
以下、本実施形態における処理の流れを、フローチャートを用いて説明する。図９に示す消費者属性別売上生成処理と、図１０に示す回遊情報生成処理と、図１１及び図１２に示す店内広報別集客情報生成処理とは、店員端末装置２０に対して表示させる表示情報の生成に用いる各情報を、サーバー装置１０が生成するための処理である。図１３に示す回遊情報表示処理と、図１４に示す広告情報表示処理とは、サーバー装置１０により行われる表示情報の生成処理である。
【００７９】
図９は、消費者属性別売上生成処理の流れを示すフローチャートである。本処理の開始前から、売上情報１２１と、顧客情報１２２と、消費者属性情報１２３とが記憶部１２０に予め格納されている。本処理は、例えば定期的に実行される。図９に示す消費者属性別売上生成処理は、１日毎に実行される例を示すものである。
【００８０】
まず、売上情報生成部１１８は、サーバー装置１０が有する図示しない日時情報を参照し、前日の日付を取得する（ステップＳ１１）。
【００８１】
次に、売上情報生成部１１８は、ステップＳ１１で取得した日付を用いて売上情報１２１を参照し、購入日時が前日から遡って２週間以内の日付である売上情報１２１のレコードを抽出する（ステップＳ１２）。具体的には、売上情報生成部１１８は、売上情報１２１の購入日時を参照し、前日の日付から２週間前の日付を始期とし、前日の日付を終期とする期間内の売上情報１２１のレコードを抽出する。
【００８２】
次に、売上情報生成部１１８は、抽出したレコード毎に、購入者の消費者属性識別子を特定する（ステップＳ１３）。具体的には、売上情報生成部１１８は、ステップＳ１２で抽出したレコード毎に、顧客識別子を特定し、特定した顧客識別子と顧客情報１２２において関連する消費者属性識別子を特定する。売上情報生成部１１８は、特定した消費者属性識別子を各レコードに対して関連付ける。
【００８３】
次に、売上情報生成部１１８は、消費者属性識別子と商品群との組み合わせ毎に売上額を集計する（ステップＳ１４）。具体的には、売上情報生成部１１８は、抽出したレコードの中から、消費者属性識別子と商品群との組み合わせを特定する。売上情報生成部１１８は、特定した組み合わせ毎に、抽出したレコード内の売上高を集計する。同時に、売上情報生成部１１８は、消費者属性識別子と商品群との組み合わせ毎に、抽出したレコードに含まれる販売数量を集計する。結果として、消費者属性識別子と商品群との組み合わせ毎に、売上高と、販売数量とが得られる。
【００８４】
次に、売上情報生成部１１８は、ステップＳ１４で特定した消費者属性識別子及び商品群の組み合わせと、売上高と、販売数量とを用いて、消費者属性別売上情報１２４を生成し、記憶部１２０に記憶させる。（ステップＳ１５）。その後、本フローチャートの処理が終了される。
【００８５】
図１０は、回遊情報生成処理の流れを示すフローチャートである。本処理は、例えば５秒毎など定期的に実行される。
【００８６】
まず、回遊情報生成部１１７は、サーバー装置１０が備える図示しない時計から、現在時刻を取得する（ステップＳ２１）。
【００８７】
次に、回遊情報生成部１１７は、店内の顧客の顧客識別子と位置とを特定する（ステップＳ２２）。具体的には、回遊情報生成部１１７は、読取装置４０に対して顧客に関する情報の送信命令を送信する。回遊情報生成部１１７は、読取装置４０から送信される、店内に存在する顧客の顧客識別子と、該顧客の位置情報とを取得する。
【００８８】
次に、回遊情報生成部１１７は、各々の顧客について回遊情報１２５を生成する（ステップＳ２３）。具体的には、回遊情報生成部１１７は、ステップＳ２１で取得した現在時刻と、ステップＳ２２で特定した情報に基づいて、顧客識別子と、取得時刻と、座標とを関連付けた回遊情報１２５を生成し、記憶部１２０に記憶させる。その後、本フローチャートの処理が終了される。
【００８９】
図１１は、店内広報別集客情報生成処理の流れを示すフローチャート（その１）である。本処理は、既に行った広報について、店内広報別集客情報１２６を生成するための処理である。サーバー装置１０において、店内広報別集客情報１２６を生成するための入力画面である広報別集客情報入力画面２２０の表示要求を入力部１１４が受け付けると、本フローチャートの処理が開始される。
【００９０】
まず、入力部１１４は、広報別集客情報入力画面２２０に対する、(1)店内広報内容、(2)広報開始時刻、(3)商品群、(4)集客予定地点、(5)キーワード、及び(6)広報分類、の入力を受け付ける（ステップＳ３１）。
【００９１】
図１５は、広報別集客情報入力画面２２０の一例を示す図である。広報別集客情報入力画面２２０は、開始時刻入力領域と、商品群入力領域と、集客予定地点入力領域と、広報分類入力領域と、広報内容入力領域と、キーワード入力領域と、登録ボタンと、を含む。
【００９２】
開始時刻入力領域は、広報の開始時刻を選択可能に表示する。商品群入力領域は、広報の対象となる商品群を選択可能に表示する。集客予定地点は、広報により集客を予定した地点を選択可能に表示する。広報分類入力領域は、広報分類の選択を受け付ける領域である。なお、開始時刻入力領域、商品群入力領域、及び集客予定地点入力領域は、いずれも選択肢からの選択でなく、いわゆる自由記述方式にて情報の入力を受け付けてもよい。また、集客予定地点入力領域は、図示しない店内地図上のポイントの指定を受け付けることにより、集客予定地点の入力を受け付けてもよい。
【００９３】
広報内容入力領域は、広報内容である文字列の入力を受け付ける。キーワード入力領域は、広報内容を示す単語の入力を受け付ける。なお、図１５に示す広報内容入力領域、及びキーワード入力領域は、自由記述方式で文字列が入力されるものであるが、複数の候補の中から入力する情報を選択するものであってもよい。
【００９４】
登録ボタンは、各入力領域に入力された情報を確定させる際に選択を受け付けるボタンである。
【００９５】
説明を図１１に戻す。ステップＳ３１では、入力部１１４は、広報別集客情報入力画面２２０の広報内容入力領域と、開始時刻入力領域と、商品群入力領域と、集客予定地点入力領域と、キーワード入力領域と、に情報が入力され、登録ボタンが選択されることで、入力された情報を受け付ける。
【００９６】
次に、広報情報生成部１１６は、ステップＳ３１で入力を受け付けた広報開始時刻から所定時間を、計測基準時間として特定する（ステップＳ３２）。これは、広報開始時刻から一定時間が、広報の効果が表れる時間であるとみなされているためである。
【００９７】
次に、顧客情報取得部１１１は、計測基準時間内に、集客予定地点から所定距離内に存在する顧客に関する回遊情報１２５内のレコードを抽出する（ステップＳ３３）。具体的には、顧客情報取得部１１１は、ステップＳ３２で特定した計測基準時間及び集客予定地点を用いて、回遊情報１２５を参照する。顧客情報取得部１１１は、回遊情報１２５の取得時刻が計測基準時間内であって、かつ回遊情報１２５の座標が集客予定地点から所定距離の範囲内の領域に属するレコードを抽出する。顧客情報取得部１１１は、抽出したレコードの中の、顧客識別子が重複するレコードについて、１つのレコードを残し、他のレコードを削除する。
【００９８】
次に、広報情報生成部１１６は、抽出したレコード毎に、顧客が属する消費者属性識別子を特定する（ステップＳ３４）。具体的には、広報情報生成部１１６は、抽出した回遊情報１２５のレコード毎に、レコードに含まれる顧客識別子を特定する。広報情報生成部１１６は、特定した顧客識別子を用いて顧客情報１２２を参照し、顧客識別子と関連する消費者属性識別子を特定する。広報情報生成部１１６は、抽出したレコード毎に、特定した消費者属性識別子を関連付ける。
【００９９】
次に、広報情報生成部１１６は、消費者属性識別子毎に、抽出したレコードの数を集計する（ステップＳ３５）。広報情報生成部１１６は、ステップＳ３４でレコードに対して関連付けた消費者属性識別子毎に、レコードの数を集計する。回遊情報１２５は、一人の顧客に対して一つのレコードが生成されるため、消費者属性毎のレコード数は、各消費者属性に属する顧客の数と考えられる。従って、ここで集計された数は、計測基準時間内における集客予定領域の客数である。
【０１００】
次に、広報情報生成部１１６は、計測基準時間内に店内に存在する顧客に関する回遊情報１２５のレコードを抽出する（ステップＳ３６）。具体的には、広報情報生成部１１６は、ステップＳ３２で特定した計測基準時間を用いて回遊情報１２５を参照し、取得時刻が計測予定時間内であるレコードを抽出する。広報情報生成部１１６は、抽出したレコードのうち、顧客識別子が重複するレコードについて、１つのレコードを残し、他のレコードを削除する。なお、ここで抽出されるレコードの数は、継続基準時間内に店内に存在する顧客数と同様である。
【０１０１】
次に、広報情報生成部１１６は、抽出したレコード毎に、顧客が属する消費者属性識別子を特定する（ステップＳ３７）。広報情報生成部１１６は、抽出した各レコードについて、顧客識別子を特定し、特定した顧客識別子と顧客情報１２２において関連する消費者属性識別子を特定する。広報情報生成部１１６は、抽出した各レコードに対して、特定した消費者属性識別子を関連付ける。
【０１０２】
次に、広報情報生成部１１６は、消費者属性識別子毎に、抽出したレコードの数を集計する（ステップＳ３８）。広報情報生成部１１６は、ステップＳ３７でレコードに対して関連付けた消費者属性識別子毎に、レコードの数を集計する。ここで集計されたレコード数は、計測基準時間内に店内に存在した消費者属性毎の客数である。
【０１０３】
次に、集客率取得部１１５は、消費者属性識別子毎に、実施時間内の集客予定地点の客数平均値を求める（ステップＳ３９）。具体的には、集客率取得部１１５は、ステップＳ３５で集計したレコード数、つまり計測基準時間内における集客予定領域の客数を、ステップＳ３８で取得したレコード数、つまり計測基準時間内における店内の客数で除算する。集客率取得部１１５は、ステップＳ３８で集計に用いた消費者属性識別子毎に、本処理を行う。算出の結果得られた値が、消費者属性識別子毎の実施時間内の集客予定地点の客数平均値である。
【０１０４】
次に、広報情報生成部１１６は、広報開始時刻から所定時間前の時刻を、実施時間外の集計開始時刻として特定する（ステップＳ４０）。この所定時間は、計測基準時間と同じ長さである。その後、広報情報生成部１１６は、処理をステップＳ４１に進める。
【０１０５】
図１２は、店内広報別集客情報生成処理の流れを示すフローチャート（その２）である。
【０１０６】
次に、顧客情報取得部１１１は、実施時間外の集計開始時刻から広報開始時刻までの間に、集客予定地点から所定距離内に存在する顧客に関する回遊情報１２５中のレコードを抽出する（ステップＳ４１）。具体的には、顧客情報取得部１１１は、回遊情報１２５中、取得時刻が実施時間外の集計開始時刻以降、広報開始時刻より前であって、かつ座標が集客予定地点から所定距離の範囲内に属するレコードを抽出する。なお、集客予定地点から所定距離の範囲内とは、ステップＳ３３で処理に用いた領域と共通する。広報情報生成部１１６は、抽出したレコードの中の、顧客識別子が重複するレコードについて、１つのレコードを残し、他のレコードを削除する。
【０１０７】
次に、広報情報生成部１１６は、抽出したレコード毎に、顧客が属する消費者属性識別子を特定する（ステップＳ４２）。ステップＳ４２及びステップＳ４３で行われる処理は、ステップＳ３４及びステップＳ３５で行われる処理と同様であるため、説明を省略する。ステップＳ４３の処理の結果、実施時間外の集計開始時刻から広報開始時刻までの間の集客予定領域の客数が消費者属性識別子毎に集計される。
【０１０８】
次に、広報情報生成部１１６は、実施時間外の集計開始時刻から広報開始時刻までの間に、店内に存在する顧客に関する回遊情報１２５のレコードを抽出する（ステップＳ４４）。具体的には、広報情報生成部１１６は、回遊情報１２５中、取得時刻が集計開始時刻以降、広報開始時刻より前のレコードを抽出する。広報情報生成部１１６は、抽出したレコードのうち、顧客識別子が重複するレコードについて、１つのレコードを残し、他のレコードを削除する。なお、ここで抽出されるレコードの数は、実施時間外の集計開始時刻から広報開始時刻までの間に店内に存在した客数である。
【０１０９】
次に、広報情報生成部１１６は、抽出したレコード毎に、顧客が属する消費者属性識別子を特定する（ステップＳ４５）。本ステップで行われる処理は、ステップＳ３７で行われる処理と同様であるため、説明を省略する。
【０１１０】
次に、広報情報生成部１１６は、消費者属性識別子毎に、抽出したレコードの数を集計する（ステップＳ４６）。広報情報生成部１１６は、ステップＳ４５でレコードに対して関連付けた消費者属性識別子毎に、レコードの数を集計する。ここで集計されたレコードは、実施時間外に店内に存在した消費者属性毎の客数として取り扱う。
【０１１１】
次に、集客率取得部１１５は、消費者属性識別子毎に、実施時間外の集客予定地点の客数平均値を求める（ステップＳ４７）。具体的には、集客率取得部１１５は、消費者属性識別子毎に、ステップＳ４３で集計したレコード数、つまり実施時間外における集客予定領域の客数を、ステップＳ４６で集計したレコード数、つまり実施時間外における店内の客数で除算し、消費者属性識別子毎の客数平均値を求める。
【０１１２】
次に、集客率取得部１１５は、実施時間外の客数平均値と、実施時間内の客数平均値に基づいて、消費者属性識別子毎に集客率を求める（ステップＳ４８）。具体的には、集客率取得部１１５は、消費者属性識別子毎に、ステップＳ３９で求めた実施時間内の集客予定地点の客数平均値を、ステップＳ４７で求めた実施時間外の集客予定地点の客数平均値で除算し、100を乗じることで、消費者属性識別子毎の集客率を求める。
【０１１３】
次に、広報情報生成部１１６は、店内広報識別子を付した店内広報別集客情報１２６を生成する（ステップＳ４９）。具体的には、広報情報生成部１１６は、ステップＳ３１で入力を受け付けた商品群と、広報開始時刻と、広報分類と、広報内容と、消費者属性識別子と、ステップＳ４７で求めた該消費者属性識別子における時間外の客数平均値と、ステップＳ３９で求めた該消費者属性識別子における時間内の客数平均値と、ステップＳ４８で求めた該消費者属性識別子における集客率と、ステップＳ３１で入力を受け付けたキーワードと、を関連付けた店内広報別集客情報１２６を生成する。広報情報生成部１１６は、生成した店内広報別集客情報１２６を記憶部１２０に記憶させる。その後、広報情報生成部１１６は、本フローチャートの処理を終了する。
【０１１４】
なお、本実施形態では、時間内の客数平均値と、時間外の客数平均値とに基づいて、集客率を算出したが、算出に用いる値は、客数平均値に限られない。例えば、広報情報生成部１１６は、計測基準時間における顧客数を、計測基準時間外における顧客数で除算することで、集客率を算出してもよい。
【０１１５】
図１３は、回遊情報表示処理の流れを示すフローチャートである。例えば、店員端末装置２０から送信される回遊情報１２５の表示要求を、サーバー装置１０が受け付けると、本フローチャートの処理が開始される。
【０１１６】
まず、表示情報生成部１１３は、記憶部１２０の図示しない領域から、店内の地図を示す店内画像の情報を取得する（ステップＳ５１）。
【０１１７】
次に、表示情報生成部１１３は、回遊情報１２５中、取得時刻が直近の時刻と関連付けられたレコードを、在店消費者として抽出する（ステップＳ５２）。具体的には、表示情報生成部１１３は、回遊情報１２５の表示要求を受け付けた時刻を用いて回遊情報１２５を参照し、表示要求を受け付けた時刻と最も近い取得時刻を含むレコードを在店消費者として抽出する。なお、複数の顧客が店内に存在する場合は、回遊情報１２５の取得時刻が同じであるため、表示要求を受け付けた時刻と最も近い取得時刻を含む複数のレコードが抽出されることとなる。
【０１１８】
次に、表示情報生成部１１３は、在店消費者の各々について、消費者属性識別子を特定する（ステップＳ５３）。具体的には、表示情報生成部１１３は、ステップＳ５２で抽出したレコード毎に、回遊情報１２５中の顧客識別子を用いて顧客情報１２２を参照し、消費者属性識別子を特定する。表示情報生成部１１３は、特定した消費者属性識別子を、ステップＳ５２で抽出したレコードの各々に関連付ける。
【０１１９】
次に、表示情報生成部１１３は、在店消費者毎に、回遊情報１２５に含まれる座標に基づいて、店内画像に消費者属性を示すマークを表示した回遊情報表示画面２３０の表示情報を生成する（ステップＳ５４）。
【０１２０】
図１６は、回遊情報表示画面２３０の一例を示す図である。回遊情報表示画面２３０は、上述の回遊情報表示処理のステップＳ５１で取得した店内画像に基づいて生成される。店内画像には、顧客の位置に相当する部分に、消費者属性識別情報に応じて予め定められたマークが表示される。地図上の顧客の位置は、該顧客の属性毎に異なる表示形態で表示される。例えば顧客の位置は、属性毎に異なる形と異なる色のマークで表示される。
【０１２１】
表示情報生成部１１３は、抽出したレコード毎に、回遊情報１２５に含まれる座標を特定し、ステップＳ５３で特定した消費者属性識別子に対応するマークを、座標に相当する店内画像の部分に表示するよう、表示情報を生成する。
【０１２２】
また、回遊情報表示画面２３０は、広報内容表示ボタン２３１を含む。広報内容表示ボタン２３１が選択されると、広報情報表示画面が表示されるが、詳しくは後述する。
【０１２３】
説明を図１３に戻す。その後、表示情報生成部１１３は、本フローチャートの処理を終了する。なお、生成された回遊情報表示画面２３０の表示情報は、店員端末装置２０に送信され、店員端末装置２０の表示部２１２により回遊情報表示画面２３０が表示される。
【０１２４】
本実施形態により、店員は、店内にいる顧客の位置と属性とを、一覧で把握することができる。
【０１２５】
図１４は、広報情報表示処理の流れを示すフローチャートである。回遊情報表示画面２３０において、広報内容表示ボタンが選択されると、本フローチャートの処理が開始される。
【０１２６】
まず、表示情報生成部１１３は、在店消費者数の最も多い消費者属性識別子を特定する（ステップＳ６１）。本ステップの処理開始前に、図１３に示す回遊情報表示処理のステップＳ５３において、在店消費者として抽出された回遊情報１２５に対して、消費者属性識別子が関連付けられている。表示情報生成部１１３は、各消費者属性識別子毎に、関連付けられた回遊情報１２５のレコード数を求め、最もレコード数（在店消費者数）の多い消費者属性識別子を特定する。
【０１２７】
次に、表示情報生成部１１３は、店内広報別集客情報１２６を参照して、特定した消費者属性において集客率の高い所定数のレコードを特定する（ステップＳ６２）。具体的には、表示情報生成部１１３は、ステップＳ６１で特定した消費者属性識別子を用いて店内広報別集客情報１２６を参照する。表示情報生成部１１３は、店内広報別集客情報１２６内で、特定した消費者属性識別子と関連付けられた集客率を参照し、集客率が高い順から所定数のレコードを、広報情報表示画面に表示する広報に関するレコードとして特定する。
【０１２８】
次に、表示情報生成部１１３は、特定したレコードの各々について、消費者属性識別子と商品群とを用いて、消費者属性別売上情報１２４を参照し、関連する売上高を特定する（ステップＳ６３）。具体的には、表示情報生成部１１３は、ステップＳ６２で特定したレコードの各々について、以下の処理を行う。表示情報生成部１１３は、ステップＳ６１で特定した消費者属性識別子と、特定したレコードに含まれる商品群とを用いて、消費者属性別売上情報１２４を参照する。表示情報生成部１１３は、消費者属性別売上情報１２４において、消費者属性識別子及び商品群の組み合わせと関連付けられた売上高を特定する。
【０１２９】
結果として、店内で最も多い消費者属性に対して集客率の多かった広報について、広報の対象商品の売上高が特定される。
【０１３０】
次に、表示情報生成部１１３は、特定した店内広報別集客情報１２６のレコードに含まれる情報と、ステップＳ６３で特定される売上高とを関連付けて、広報情報表示画面２４０を表示する（ステップＳ６４）。その後、表示情報生成部１１３は、本フローチャートの処理を終了する。
【０１３１】
図１７は、広報情報表示画面２４０の一例を示す図である。広報情報表示画面２４０は、消費者属性表示領域２４１と、ランキング表示領域２４２と、広報内容表示領域２４３とを含む。
【０１３２】
消費者属性表示領域２４１は、上述の広報情報表示処理のステップＳ６１で特定した消費者属性識別子により特定される消費者属性に関する情報を表示する領域である。表示情報生成部１１３は、特定した消費者属性識別子と消費者属性情報１２３において関連付けられた性別と、年代と、平均年収とを用いて、消費者属性表示領域２４１に消費者属性に関する情報を表示する。
【０１３３】
ランキング表示領域２４２は、集客率が高い順に、広報に関する情報を表示する領域である。表示情報生成部１１３は、集客率が高い順に、店内広報別集客情報１２６内の集客率と、開始時刻と、広報分類と、商品群と、キーワードと、ステップＳ６３で特定した売上高とを関連付けて、ランキング表示領域２４２に表示する。ランキング表示領域２４２に表示される各広報情報は、集客順位、又は集客率を表示する部分を選択することで、選択が可能である。
【０１３４】
また、ランキング表示領域２４２は、各広報情報の時間帯、消費者属性別売上高、広報分類、商品群、又はキーワードの表示部分を長押しすることで、表示する広報情報を絞り込むことができる。最初に表示されている広報情報のうち前述のいずれかの部分を長押しすると、長押しされた部分に表示された情報と同じ情報を有する広報情報のみが表示されるよう、ランキング表示領域２４２の表示が変更される。例えば、最初に表示されている広報情報の広報分類中、「アナウンス」の文字列が表示された部分（セル）が長押しされると、表示情報生成部１１３は、表示している広報情報中、広報分類が「アナウンス」である広報分類のみを、集客率が高い順に表示するよう、ランキング表示領域２４２の表示情報を生成する。
【０１３５】
なお、次にランキング表示領域２４２以外の部分の選択を受け付けると、表示情報生成部１１３は、ランキング表示領域２４２の表示を絞り込み前の状態に戻す。
【０１３６】
広報内容表示領域２４３は、ランキング表示領域２４２において選択された広報の広報内容を表示する領域である。表示情報生成部１１３は、選択された広報情報である店内広報別集客情報１２６のレコード内に含まれる広報内容を、広報内容表示領域２４３に表示する。
【０１３７】
なお、ランキング表示領域２４２に表示される広報情報は、予め条件を入力することで、絞り込むことができるものであってもよい。例えば、回遊情報表示画面２３０において広報情報表示ボタンが選択されると、図示しない検索画面が表示され、検索画面に対して検索条件の入力を受け付ける。この場合、表示情報生成部１１３は、検索条件に応じて表示する広報情報を絞り込み、絞り込んだ広報情報を集客率の高い順にランキング表示領域２４２に表示するよう表示情報を生成する。
【０１３８】
例えば、検索画面において、検索条件として時間帯の入力を受け付ける。表示情報生成部１１３は、入力された時間帯に属する広報開始時刻に行われた広報に関するレコードを店内広報別集客情報１２６から取得し、取得したレコード中、店内に存在する顧客が最も多い消費者属性識別子に対するレコードが示す広報を、集客率の高い順に表示する。
【０１３９】
また、ランキング表示領域２４２において同じ広報情報が続けて２回選択されると、選択された広報を自動的に行うこととしてもよい。サーバー装置１０は、出力Ｉ／Ｆ１３４を介して接続された広報装置を用いて、選択された広報を構成する音声であって、予め録音された音声を出力することとしてもよい。
【０１４０】
本実施形態により、店内に存在する顧客の属性に対して集客率の高い広報情報が表示されるため、表示情報を参照した店員は適切に店内広報の選択をすることができる。また、広報情報の候補を表示するランキング表示領域２４２においては、店員の意図に応じた絞り込みをすることができるため、店員は状況に応じた条件を指定することで、効率的に広報情報を閲覧し、選択することができる。
【０１４１】
以上、本発明に係る各実施形態及び変形例の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。また、上記の各構成、機能、処理部、処理手段等は、それらの一部又は全部を、例えば集積回路で設計する等によりハードウェアで実現してもよい。また、図中の制御線や情報線は、説明上必要と考えられるものを示しており、全てを示しているとは限らない。ほとんど全ての構成が相互に接続されていると考えてもよい。
【符号の説明】
【０１４２】
１：広報情報提供システム、１０：サーバー装置、２０：店員端末装置、３０：ネットワーク、４０：読取装置、１１０：制御部、１１１：顧客情報取得部、１１２：属性特定部、１１３：表示情報生成部、１１４：入力部、１１５：集客率取得部、１１６：広報情報生成部、１１７：回遊情報生成部、１１８：売上情報生成部、１２０：記憶部、１２１：売上情報、１２２：顧客情報、１２３：消費者属性情報、１２４：消費者属性別売上情報、１２５：回遊情報、１２６：店内広報別集客情報、１３０：ＣＰＵ、１３１：メモリ、１３２：補助記憶装置、１３３：入力Ｉ／Ｆ、１３４：出力Ｉ／Ｆ、１３５：ネットワークＩ／Ｆ、２１０：制御部、２１１：通信部、２１２：表示部、２２０：広報別集客情報入力画面、２３０：回遊情報表示画面、２３１：広報内容表示ボタン、２４０：広報情報表示画面、２４１：消費者属性表示領域、２４２：ランキング表示領域、２４３：広報内容表示領域
【図１】
2015197871.tif 000003
【図２】
2015197871.tif 000004
【図３】
2015197871.tif 000005
【図４】
2015197871.tif 000006
【図５】
2015197871.tif 000007
【図６】
2015197871.tif 000008
【図７】
2015197871.tif 000009
【図８】
2015197871.tif 000010
【図９】
2015197871.tif 000011
【図１０】
2015197871.tif 000012
【図１１】
2015197871.tif 000013
【図１２】
2015197871.tif 000014
【図１３】
2015197871.tif 000015
【図１４】
2015197871.tif 000016
【図１５】
2015197871.tif 000017
【図１６】
2015197871.tif 000018
【図１７】
2015197871.tif 000019